(57)【要約】【課題】ヒータで陳列室内を加熱するショーケースにおいて効果的な省エネを図る。【解決手段】ショーケース１は、扉１２により開閉自在に閉塞される陳列室１４内をヒータにて加熱して成るものであって、扉１２の開閉を検出する扉スイッチと、ヒータの通電を制御するマイクロコンピュータとを備え、このマイクロコンピュータは、扉スイッチが検出する扉の開閉が一定時間行われていない場合、ヒータの発熱量を低下させる。マイクロコンピュータはダイオードを用いてヒータの発熱量を低下させる。【選択図】図１
2007252784.tif 000002
【特許請求の範囲】
【請求項１】
扉により開閉自在に閉塞される陳列室内をヒータにて加熱して成るショーケースにおいて、
前記扉の開閉を検出する扉開閉検出手段と、
前記ヒータの通電を制御する制御手段とを備え、
該制御手段は、前記扉開閉検出手段が検出する前記扉の開閉が一定時間行われていない場合、前記ヒータの発熱量を低下させることを特徴とするショーケース。
【請求項２】
前記ヒータへの通電を制限する電流制限手段を備え、前記制御手段は、該電流制限手段を用いて前記ヒータの発熱量を低下させることを特徴とする請求項１に記載のショーケース。
【請求項３】
前記ヒータは複数回路設けられ、前記制御手段は通電するヒータの回路数を削減することにより、発熱量を低下させることを特徴とする請求項１に記載のショーケース。
【発明の詳細な説明】
【技術分野】
【０００１】
本発明は、陳列室内をヒータにて加熱して成るショーケースに関するものである。
【背景技術】
【０００２】
従来より所謂ホット＆コールドタイプのショーケースでは、本体の四隅に立設した支柱に左右及び後面の透明壁と前面の透明扉（透明壁）を取り付けることにより、これら透明壁で囲繞された陳列室を本体上に構成している。そして、この陳列室には商品陳列用の棚を架設すると共に、本体の一側から冷気を吐出し、他側から吸い込んで陳列室内に冷気を循環させ、所定の温度に冷却する構造が採られていた。
【０００３】
また、棚にはヒータを取り付けると共に、棚の両側にダンパーを配置し、このダンパーで棚上方への冷気の循環を遮断した状態でヒータを発熱させることにより、棚上方の陳列室内のみを加熱し、棚上に陳列された缶飲料やペットボトル入り飲料等を加温できるように構成されていた（例えば、特許文献１）。
【特許文献１】特開平１０−４３０１２号公報
【発明の開示】
【発明が解決しようとする課題】
【０００４】
ここで、棚に取り付けられたヒータは従来では店舗の販売時間に関係なく最大限の能力で発熱するように設計されていた。しかしながら、顧客の来店が減少する深夜などには扉が殆ど開閉されず、従って、陳列室からの暖気の流出も減少するため、係る販売閑散時間帯では加熱能力が過剰となって電気代が無駄となる問題があった。
【０００５】
本発明は、係る従来の技術的課題を解決するために成されたものであり、ヒータで陳列室内を加熱するショーケースにおいて効果的な省エネを図ることを目的とするものである。
【課題を解決するための手段】
【０００６】
本発明のショーケースは、扉により開閉自在に閉塞される陳列室内をヒータにて加熱して成るものであって、扉の開閉を検出する扉開閉検出手段と、ヒータの通電を制御する制御手段とを備え、この該制御手段は、扉開閉検出手段が検出する扉の開閉が一定時間行われていない場合、ヒータの発熱量を低下させることを特徴とする。
【０００７】
請求項２の発明のショーケースは、上記発明においてヒータへの通電を制限する電流制限手段を備え、制御手段は、この電流制限手段を用いてヒータの発熱量を低下させることを特徴とする。
【０００８】
請求項３の発明のショーケースは、請求項１の発明においてヒータは複数回路設けられ、制御手段は通電するヒータの回路数を削減することにより、発熱量を低下させることを特徴とする。
【発明の効果】
【０００９】
本発明によれば、扉により開閉自在に閉塞される陳列室内をヒータにて加熱して成るショーケースにおいて、扉の開閉を検出する扉開閉検出手段と、ヒータの通電を制御する制御手段とを備え、この該制御手段は、扉開閉検出手段が検出する扉の開閉が一定時間行われていない場合、ヒータの発熱量を低下させるようにしたので、扉の開閉が少なくなる販売閑散時間帯に例えば請求項２の発明の如く電流制限手段によりヒータへの電流を制限し、或いは、請求項３の発明の如くヒータを複数回路設けて回路数を削減してヒータの発熱量を低下させることができるようになる。
【００１０】
これにより、係る時間帯における陳列室内の過剰な加熱を回避して省エネルギーに寄与することができるようになるものである。
【発明を実施するための最良の形態】
【００１１】
次に、図面に基づき本発明の実施形態を詳述する。尚、この実施形態で説明するショーケース１は、例えばコンビニエンスストア等の店舗に設置されてコーヒーやお茶などのペットボトル入り飲料若しくは缶飲料を冷却若しくは加温しながら販売する所謂卓上型のホット＆コールドショーケース（冷却／加温切換使用可能なショーケース）である。
【実施例１】
【００１２】
図１は本発明を適用した実施例のショーケース１の斜視図を示している。実施例のショーケース１の本体１３は、発泡ポリウレタンなどから成る図示しない断熱壁とこの断熱壁の周囲を囲繞する硬質合成樹脂製のケースから構成されている。そして、この本体１３の四隅に位置して前支柱７、７及び後支柱８、８が立設されており、これら支柱７、７、８、８には透明ペアガラス製の左右の縦長の透明壁９、９が支持され、上部には天壁１１が取り付けられている。
【００１３】
また、前から向かって右側の前支柱７及び後から向かって左側の後支柱８には、これも透明ペアガラスを填め込んだ透明壁としての縦長の扉１２（後の扉は図示せず）が回動自在に枢支されており、本体１３上には透明壁９、９、扉１２、１２及び天壁１１により囲繞された陳列室１４が構成されている。そして、扉１２、１２はこの陳列室１４の前後面の開口を開閉自在に閉塞することになる。尚、１５はこの扉１２の非枢支側（向かって左側）の上下方向（長手方向）の中央前面に取り付けられた把手である。
【００１４】
前記本体１３の下方には機械室１７が構成されており、この機械室１７内には冷却装置の冷媒回路を構成する圧縮機１８（図３）や凝縮器（図示せず）が設置される。本体１３の前記断熱壁内には上面が開口した図示しない冷却室が構成され、この冷却室内には前記冷媒回路を構成するこれも図示しない冷却器と送風機１９（図３）が設置されている。そして、本体１３の前から向かって右側には手前から奥に渡って冷気吐出口２１が構成されており、向かって左側には手前から奥に渡って冷気吸込口２２が構成されている。この冷気吸込口２２は冷却室内の前記冷却器の冷気吸込側に連通し、冷気吐出口２１は冷気吐出側に連通している。
【００１５】
一方、陳列室１４内には商品陳列用の棚２が複数段架設されている。各棚２は金属製の図示しない上板と、この上板内に設けられた図示しない断熱材と、これらの周囲を囲繞する合成樹脂製の図示しない枠材にて構成されている。そして、上板の内面に電気ヒータ１０（図２のＰＨ１）が取り付けられている。また、棚２の両側は凹陥しており、棚２とその外側の透明壁９との間に冷気通路を構成し、更に最上段の棚２とその下側の棚２の当該凹陥部内にはダンパー２７が取り付けられている。このダンパー２７は棚２に回動自在に取り付けられている。尚、前記冷気通路は冷気吐出口２１及び冷気吸込口２２の上方に位置し、ダンパー２７は回動して後述する如く当該冷気通路を開閉する。
【００１６】
また、３１、３１は当該棚２を架設するための棚受けである。棚受け３１、３１は棚２の下面の後部両側に取り付けられている。一方、後支柱８、８の前面（陳列室１４側の面）及び前支柱７、７の相互に対向する面には複数の係合孔３３・・が上下に渡って所定間隔で形成されている。そして、何れかの係合孔３３に棚受け３１を挿入して係合することで、棚２は前部を低くした傾斜状態で架設される。
【００１７】
次に、図２はショーケース１のヒータ１０の電気回路図を示している。商用交流電源にリレー接点４１（ＲＹ１）とヒータ１０と切換リレー４２（ＲＹ２）の直列回路が接続されている。この切換リレー４２の常開接点はヒータ１０とは反対側の商用交流電源に接続され、常閉接点はダイオード（電流制限手段）４３を介して同じくヒータ１０とは反対側の商用交流電源に接続されている。更に、商用交流電源には切換リレー４２のコイル４２Ｃとリレー接点４４の直列回路を接続されている。尚、この電気回路は各棚２のヒータ１０に対してそれぞれ設けられている。
【００１８】
また、図３はショーケース１の制御装置Ｃのブロック図である。尚、この制御装置Ｃと図２の各部品が本発明における制御手段を構成する。制御装置Ｃはマイクロコンピュータ４６により構成されており、このマイクロコンピュータ４６の入力には陳列室１４内の温度を検出する庫内温度センサ４７と、各棚２上面の温度をそれぞれ検出する棚温度センサ４８（実際には計三つあり）と、扉１２の開閉を検出する扉スイッチ４９（扉開閉検出手段）が接続されている。また、マイクロコンピュータ４６の出力には、前記圧縮機１８、送風機１９と共に、各棚２用のリレー接点４１（ＲＹ１）のコイル４１Ｃと、リレー接点４４（ＲＹ３）のコイル４４Ｃが接続されている（実際には計三組あり）。
【００１９】
以上の構成で、陳列室１４内の全域を冷蔵状態で使用する場合、マイクロコンピュータ４６は圧縮機１８と送風機１９を運転する。これにより、冷却器と熱交換した冷気が送風機１９により冷気吐出口２１から上方に向けて吐出され、冷気吸込口２２から吸い込まれるかたちとなる。更に、最上段とその下の棚２、２の両側のダンパー２７、２７を回動して起立状態とする。この状態でダンパー２７は棚２とその外側の透明壁９、９との間の冷気通路を開放する。これにより、上述の如く冷気吐出口２１から吐出された冷気は各棚２の前から向かって右側の冷気通路を上昇し、左側の冷気通路を降下して冷気吸込口２２に吸い込まれるようになるので、陳列室１４内の全域が冷却される。
【００２０】
マイクロコンピュータ４６は庫内温度センサ４７の出力に基づき、陳列室１４内の温度が冷却設定温度より高くなった場合にはコンプレッサ１８及び送風機１９を運転し、低くなったら停止する。これにより、陳列室１４内を所定の冷却設定温度（冷蔵温度）に冷却する。
【００２１】
次に、この状態から例えば最上段の棚２上方の陳列室１４を加温状態で使用し、その下方の陳列室１４内は冷蔵状態で使用しようとする場合、最上段の棚２の両側のダンパー２７、２７のみを回動して水平状態とし、当該最上段の棚２とその外側の透明壁９、９との間の冷気通路を閉じる。これにより、最上段の棚２より上方には冷気は供給されなくなる。次に、マイクロコンピュータ４６はコイル４１Ｃと４４Ｃに通電する。コイル４１Ｃが通電されるとリレー接点４１が閉じる。また、コイル４４Ｃが通電されるとコイル４２Ｃが通電されるので、切換リレー４２が常開接点に閉じる。
【００２２】
これにより、ヒータ１０には商用交流電源が１００％印加されることになるので、最上段の棚２上方の陳列室１４内は強力に加熱されるようになる。このとき、マイクロコンピュータ４６は棚温度センサ４８の出力に基づき、棚２の上面の温度が所定の加熱設定温度より高くなった場合にはコイル４１Ｃを非通電としてリレー接点４１を開き、ヒータ１０への通電を断つ。また、棚２の上面の温度が加熱設定温度より低くなった場合には、マイクロコンピュータ４６はコイル４１Ｃを通電してリレー接点４１を閉じ、ヒータ１０に通電する。これにより、棚２上面の温度を加熱設定温度に維持し、棚２上の缶飲料やペットボトル飲料を加温する。
【００２３】
尚、最上段の棚２の下側の棚２上方の陳列室１４内を加温状態で使用する場合には、最上段の棚２のダンパー２７は起立状態とし、その下の棚２のダンパー２７は水平状態とすればよい。このとき、マイクロコンピュータ４６は最上段の棚２とその下の棚２のヒータ１０に通電する。
【００２４】
ここで、深夜などの殆ど顧客の来店が無い販売閑散時間帯には、扉１２も殆ど開閉されないため、加温状態とされた陳列室１４内から流出する暖気（熱量）も少なくなる。そのため、ヒータ１０の発熱はその上方の陳列室１４の容積に対して過剰な状態となる。
【００２５】
そこで、マイクロコンピュータ４６は、扉スイッチ４９の出力に基づき、扉１２が所定時間（例えば１時間）経過する間に１回も開放されていないか否か判断する。そして、常にはコイル４４Ｃに通電しているものの、所定時間中に扉１２の開放が無い場合には、販売閑散時間帯であるものと判断してコイル４４Ｃを非通電とし、リレー接点４４を開いてコイル４２Ｃを非通電とし、切換リレー４２を常閉接点に閉じる。これにより、ヒータ１０には直列にダイオード４３が接続されるようになるので、ヒータ１０には交流電源の半波のみが印加されることになり、ヒータ１０の発熱量は約半分に低下する。
【００２６】
このようにヒータ１０の発熱量が低下した後にもマイクロコンピュータ４６は棚温度センサ４８の出力に基づいて棚２上面の温度制御を前述同様に行うが、扉１２の開閉が行われていない状況では、係る低い発熱量でも棚２上面は充分に加温可能である。一方で、前述のような過剰な加熱を行わないことで、消費電力を著しく削減し、省エネルギーに寄与することが可能となる。
【００２７】
尚、マイクロコンピュータ４６は、コイル４４Ｃを非通電としている状態で、扉１２が開放された場合、扉スイッチ４９の出力に基づいてコイル４４Ｃに通電し、リレー接点４４を閉じてコイル４２Ｃに通電し、切換リレー４２を常開接点に閉じることによって、ヒータ１０に１００％の商用交流電源を印加する状態に復帰する。
【実施例２】
【００２８】
次に、図４は本発明におけるヒータ１０の電気回路のもう一つの実施例を示している。この場合、各棚２のヒータ１０はヒータ１０Ａとヒータ１０Ｂの独立した二回路とされており、リレー接点４１に対して並列に接続されている。但し、一方の回路のヒータ１０Ｂにはリレー接点４４が商用交流電源に対して直列に接続されている。
【００２９】
そして、マイクロコンピュータ４６は、前述同様にコイル４１Ｃの通電を制御すると共に、常にはコイル４４Ｃに通電してリレー接点４４を閉じ、両回路のヒータ１０Ａとヒータ１０Ｂに通電して発熱させ、棚２上面を強力に加熱する。次に、前述同様に所定時間中に扉１２の開放が無い場合には販売閑散時間帯であるものと判断し、コイル４４Ｃを非通電としてリレー接点４４を開き、一方の回路のヒータ１０Ｂへの通電を断つ。これにより、ヒータ１０の発熱量はヒータ１０Ａのみの発熱量に低下する。
【００３０】
このようにヒータ１０の発熱量が低下した後にもマイクロコンピュータ４６は棚温度センサ４８の出力に基づいて棚２上面の温度制御を前述同様に行うが、扉１２の開閉が行われていない状況では、係る低い発熱量でも棚２上面は充分に加温可能である。一方で、前述のような過剰な加熱を行わないことで、消費電力を著しく削減し、省エネルギーに寄与することが可能となる。
【００３１】
尚、マイクロコンピュータ４６は、コイル４４Ｃを非通電としている状態で、扉１２が開放された場合、扉スイッチ４９の出力に基づいてコイル４４Ｃに通電し、ヒータ１０Ｂも通電することによって、両回路のヒータ１０Ａ、１０Ｂに通電する状態に復帰するものである。
【００３２】
また、上記各実施例では所謂ホット＆コールドタイプのショーケースに本発明を適用したが、それに限らず、ホット専用のショーケースにも本発明は有効である。
【図面の簡単な説明】
【００３３】
【図１】本発明を適用したショーケースの斜視図である。
【図２】図１のショーケースのヒータの電気回路図である（実施例１）。
【図３】図１のショーケースの制御装置のブロック図である。
【図４】図１のショーケースの他の実施例のヒータの電気回路図である（実施例２）。
【符号の説明】
【００３４】
１  ショーケース
２  棚
１０、１０Ａ、１０Ｂ  ヒータ
１２  扉
１４  陳列室
４１、４４  リレー接点
４３  ダイオード
４６  マイクロコンピュータ
４７  扉スイッチ
【図１】
2007252784.tif 000003
【図２】
2007252784.tif 000004
【図３】
2007252784.tif 000005
【図４】
2007252784.tif 000006